(57)【要約】【課題】通話によって、周囲に迷惑が生じないような携帯電話機の構成を提供すること。【解決手段】先端部が開いた状態にあり、かつ人の口部周囲に押接可能な形状であり、内側のマイクロフォン２を先端部以外の部位において囲んだ状態となっている消音カバー１を設け、前記マイクロフォン２との電気的接続によって、当該マイクロフォン２における音声入力を送信可能とすることによって、通話中の音声の殆ど又は大部分を消音カバー１から外側に漏洩することを遮断し、前記課題を達し得る携帯電話機。【選択図】図１
2007288459.tif 000002
【特許請求の範囲】
【請求項１】
先端部が開いた状態にあり、かつ人の口部周囲に押接可能な形状であり、内側のマイクロフォンを先端部以外の部位において囲んだ状態となっている消音カバーを設け、前記マイクロフォンとの電気的接続によって、当該マイクロフォンにおける音声入力を送信可能とする携帯電話機。
【請求項２】
消音カバー内のマイクロフォンと既存の携帯電話機の送信回路におけるマイクロフォンとが並存していることを特徴とする請求項１記載の携帯電話機。
【請求項３】
消音カバー内のマイクロフォンから消音カバーを介して突設されている配線用コードの先端部が着脱自在に接続されていることを特徴とする請求項２記載の携帯電話機。
【請求項４】
消音カバー内のマイクロフォンと既存の携帯電話機の送信回路におけるマイクロフォンとがスイッチによって選択可能であることを特徴とする請求項２記載の携帯電話機。
【請求項５】
消音カバーの先端部が伸縮可能な弾性体によって形成されていることを特徴とする請求項１記載の携帯電話機。
【請求項６】
受信側の回路がイヤホーンと接続可能であることを特徴とする請求項１記載の携帯電話機。
【発明の詳細な説明】
【技術分野】
【０００１】
本発明は、会話を行っても、周囲に迷惑が及ばないような携帯電話機に関するものである。
【背景技術】
【０００２】
近年、携帯電話機は、色々な生活の場面において使用されているが、使用中の会話によって近隣にいる第三者に対し、前記会話によって迷惑を及ぼすことが少なからず生じている。
【０００３】
このような状況を反映して、例えば電車内においては、着席状態では、携帯電話の使用が禁止され、特定の場所（デッキなど）において使用することが要求されている。
【０００４】
このように、携帯電話は生活上極めて便利であるにも拘らず、前記のような近隣の第三者との関係について、特に配慮した構成は、これまで提唱されている訳ではない。
【０００５】
因みに、特許文献１には、携帯電話機から音声信号が送信されている間は、他の場所にあるマイクロフォンからの音声信号をミュート手段によって遮断することによって、所謂ハウリング現象を防止する構成が記載されているが、このような構成は、あくまで携帯電話機における通話の便宜を目的としており、通話によって周囲に及ぼす影響を減殺することは、何ら開示又は示唆している訳ではない。
【０００６】
特許文献２においては、携帯電話機とマイクロフォンなどの子機との接続構成が開示されているが、前記のような携帯電話機の使用によって周囲に対する迷惑を解消するような構成を、何ら開示又は示唆している訳ではない。
【０００７】
非特許文献１には、ミュート式マイクロフォンとして、マイクロフォンの周囲に発生音が放散しないような消音カバーを設けた構成が提唱されているが、当該ミュート式マイクロフォンは、あくまでカラオケなどの使用を目的としており、携帯電話機との関連性については、何ら技術上の示唆を行っている訳ではない。
【０００８】
【特許文献１】特開平１１−４２８６号公報。
【特許文献２】特開平１１−７４９５１号公報。
【非特許文献１】株式会社ＣＴＡ（東京都中野区野方１丁目５３番５号所在）のホームページと一体をなすミュートマイクの宣伝広告画面表示
【発明の開示】
【発明が解決しようとする課題】
【０００９】
本発明は、通話を原因として、周囲に迷惑が生じないような携帯電話機の構成を提供することを課題としている。
【課題を解決するための手段】
【００１０】
前記課題を解決するため、本発明の基本構成は、先端部が開いた状態にあり、かつ人の口部周囲に押接可能な形状であり、内側のマイクロフォンを先端部以外の部位において囲んだ状態となっている消音カバーを設け、前記マイクロフォンとの電気的接続によって、当該マイクロフォンにおける音声入力を送信可能とする携帯電話機からなる。
【発明の効果】
【００１１】
前記基本構成に基づく携帯電話機の場合には、使用中の会話を消音カバー中のマイクロフォンを介して、相手方に伝達することから、使用に基づいて、近隣の第三者などに迷惑を及ぼすことを防止するか、又は少なくとも減少させることができ、ひいては、電車などの公共交通機関中においても、着席しながら使用することも可能となる。
【発明を実施するための最良の形態】
【００１２】
図１（ａ）、（ｂ）は、本発明の典型的な実施形態を示しており、消音カバー１中のマイクロフォン２は、携帯電話機３中の送信回路３１と接続されており、使用者は、図２（ａ）、（ｂ）、及び図３（ａ）、（ｂ）に示すように、消音カバー１を口部５の周囲に当接させたうえで、携帯電話によって相手方との会話を行った場合には、会話に伴う発音は、消音カバー１内に充満されるも、その大部分は外部に伝達されずに遮断され、外部への漏洩が防止されるか、又は減少され、周囲に迷惑を掛けないで済むことになる。
尚、図２、図３に示すように、消音カバー１は、先端部以外の部位において、マイクロフォン２を囲んだ状態となっているが、コード６が外部に突出する部位において多少の隙間が生じ、当該隙間領域の存在によって、例外的にマイクロフォン２を囲んでいない部位が生じたとしても、本発明は、そのような場合をも予定している以上、当該隙間が存在する場合も必然的に本発明の実施形態に該当する。
【００１３】
図１（ａ）は、送信回路３１が専ら消音カバー１中のマイクロフォン２のみに接続されている実施形態を示す。
【００１４】
しかしながら、携帯電話機３の使用においては、常に消音カバー１を伴った使用を行わねばならないという訳ではない。
【００１５】
このような状況を考慮し、図１（ｂ）及び図４に示すように、消音カバー１内のマイクロフォン２と既存の携帯電話機３の送信回路３１におけるマイクロフォン２とが選択可能な並列回路を形成していることによる実施形態においては、消音カバー１中のマイクロフォン２を使用する場合と送信回路３１におけるマイクロフォン２を使用する場合との双方に適用することが可能となる。
【００１６】
双方のマイクロフォン２が並存する場合においては、
（１）図１（ｂ）に示すように、消音カバー１内のマイクロフォン２から消音カバー１を介して突設されている配線用コード６の先端部が着脱自在に接続されていることによる実施形態、又は、
（２）図４に示すように、消音カバー１内のマイクロフォン２と既存の携帯電話機３の送信回路３１におけるマイクロフォン２とがスイッチ３４によって選択可能であることによる実施形態、
の何れをも採用可能であり、何れの場合においても、通常の使用状態と消音カバー１による使用状態との双方を適宜選択することが可能となる。
【００１７】
消音カバー１の先端部は、前記ミュートマイクと同様に、口部５の周囲の全て又は相当部分を押接可能な状態であることを必要とする。
【００１８】
そのような形状は、押接部位によって相違するが、唇の近傍を押接する場合には、前記先端部分の形状は、概略平坦形状となるが、唇の周囲から多少距離のある部位、即ち図２（ａ）、（ｂ）、及び図３（ａ）、（ｂ）に示すように、鼻下、頬部及び顎部分に押接する場合には、下側の押接部位は、断面下方（顎部分）に当接するように突出した状態を形成することになる。
【００１９】
何れにせよ、前記先端部は、口部５の周囲の皮膚及び筋肉と、殆ど又は少なくとも概略隙間が生じないような状態を実現し、そのような状態によって通話中の発音の殆ど全て又は大部分を外部に漏洩させないような機能を発揮させることを可能としている。
【００２０】
特に、図３（ａ）、（ｂ）に示すように、消音カバー１の先端部が伸縮可能な弾性体１１によって形成されている実施形態の場合には、押接に伴い口部５の周囲の筋肉と密着することによって、前記漏洩防止効果を十分なものとすることが可能となる。
【００２１】
但し、前記弾性体１１は、気密性であることが好ましく、スポンジのように、通気性を伴った素材は、音声の漏洩防止上好ましくない。
【００２２】
以下、実施例に即して説明する。
【実施例】
【００２３】
実施例においては、図４に示すように、受信側の回路部３２がイヤホーン４と接続可能であることを特徴としている。
【００２４】
即ち、実施例においては、通話中において送信する場合の音声だけでなく、受信する場合の音声についても、イヤホーン４と接続することによって周囲に対する音声の影響を防止するか、又は減少させることを可能としている。
【産業上の利用可能性】
【００２５】
本発明は、携帯電話機の製造、販売、使用の分野だけでなく、マイクロホンなどのエレクトロニクスの分野においても利用可能である。
【図面の簡単な説明】
【００２６】
【図１】本発明の基本構成を示すブロック図であって、（ａ）は送信回路が消音カバー内のマイクロフォンとのみ接続している構成を示しており、（ｂ）は送信回路が既存の携帯電話機におけるマイクロフォンと消音カバー内のマイクロフォンとが並存しており、かつ後者のマイクロフォンと接続しているコードの先端が、携帯電話機に対し着脱自在である実施形態を示す。
【図２】先端部に弾性体を形成していない消音カバーを口部の周囲のうち、特に鼻下、頬部及び顎部分に押接した状態を示しており、（ａ）は側断面図であり、（ｂ）は上面図である。
【図３】先端部において弾性体を形成している消音カバーを口部の周囲のうち、特に鼻下、頬部及び顎部分に押接した状態を示しており、（ａ）は側断面図であり、（ｂ）は上面図である。
【図４】既存の携帯電話機におけるマイクロフォンと消音カバー内のマイクロフォンとがスイッチによって選択可能となっている実施形態であって、かつイヤホーンを使用した実施例の構成を示すブロック図である。
【符号の説明】
【００２７】
１  消音カバー
１１  弾性体
２  マイクロフォン
３  携帯電話機
３１  送信回路
３２  受信回路
３３  差込プラグ
３４  スイッチ
４  イヤホーン
５  口部
６  コード
【図１】
2007288459.tif 000003
【図２】
2007288459.tif 000004
【図３】
2007288459.tif 000005
【図４】
2007288459.tif 000006